(57)【要約】【課題】フロントドラグ機構及びリアドラグ機構のいずれかが設けられるスピニングリールのリール本体において、リール本体の意匠性を向上できるようにする。【解決手段】スピニングリールのリールボディ２ａは、後端部に形成された第１開口部２ｃと、第１開口部２ｃの周囲に第１開口部２ｃに向かって外形が先細り形状に形成された装着部２ｄとを有している。装着部２ｄには、第１カバー部材４０及び第２カバー部材５０が選択的にリールボディ２ａの装着部２ｄに連なる部分と滑らかに連設して装着されている。第１カバー部材４０は第１開口部２ｃを閉塞するように装着され、第２カバー部材５０の後端部にはリアドラグ機構が装着される。【選択図】　　　図３
2004081151.tif 000002
【特許請求の範囲】
【請求項１】
釣竿に装着され、フロントドラグ機構及びリアドラグ機構のいずれかが設けられ、かつ前方に釣り糸を繰り出し可能なスピニングリールのリール本体であって、
前記釣竿に装着される竿取付脚部と、
前記竿取付脚部と連設され、後端部に第１開口部が形成されるとともに、前記第１開口部の周囲に前記第１開口部に向かって外形が先細り形状の装着部が形成されたリールボディとを備え、
前記装着部には、前記リールボディの前記装着部に連なる部分と滑らかに連設して装着される第１カバー部材及び第２カバー部材が選択的に装着可能であり、
前記第１カバー部材は、前記フロントドラグ機構が設けられる際、前記第１開口部を閉塞するように装着され、
前記第２カバー部材は、後端部に前記第１開口部と連通する第２開口部を有し、前記リアドラグ機構が設けられる際、前記第２開口部を閉塞するように前記リアドラグ機構が装着される、スピニングリールのリール本体。
【請求項２】
前記第１カバー部材は外形が前記リールボディに沿って先細り形状に形成されている、請求項１に記載のスピニングリールのリール本体。
【請求項３】
前記第２カバー部材及び前記リアドラグ機構は一体的に形成されている、請求項１又は２に記載のスピニングリールのリール本体。
【請求項４】
前記第１カバー部材及び前記第２カバー部材は前記リールボディに弾性圧入係合されている、請求項１から３のいずれかに記載のスピニングリールのリール本体。
【請求項５】
前記第１カバー部材及び前記第２カバー部材は前記リールボディにねじ止め固定されている、請求項１から３のいずれかに記載のスピニングリールのリール本体。
【発明の詳細な説明】
【０００１】
【発明の属する技術分野】
本発明は、リール本体、特に、フロントドラグ機構及びリアドラグ機構のいずれかが設けられるスピニングリールのリール本体に関する。
【０００２】
【従来の技術】
スピニングリールは、一般に、釣竿に装着されるリール本体と、リール本体に回転自在に取り付けられたハンドルと、リール本体に回転自在に装着されたロータと、ロータの前方でリール本体に前後移動自在に装着され、ロータによって案内された釣り糸が外周に巻き付けられるスプールとを有している。
【０００３】
リール本体は、釣竿に装着されるＴ字状の竿取付脚部と、竿取付脚部と一体成形され、内部に各種の機構が収納されるリールボディとを備えている。リールボディは、側部が開口する収納空間を内部に有する本体部材と、本体部材の開口を覆うように着脱自在に本体部材に装着された蓋部材とを有している。
このようなスピニングリールには、スプールの回転を制動するためのドラグ機構が設けられている。この種のドラグ機構は、スプール軸の前部に配置されるフロントドラグ機構と、スプール軸の後部に配置されるリアドラグ機構とが知られている。フロントドラグ機構はスプール内に装着され、リアドラグ機構はリール本体後部に装着される。
【０００４】
この種のスピニングリールは、フロントドラグ機構が装着されるリール本体とリアドラグ機構が装着されるリール本体とでは、リール本体後部の形状が異なっている。フロントドラグ機構が装着されるリール本体は、後部に装着されるものがないので、意匠性を考慮して後部が先細り形状に形成されている。一方、リアドラグ機構が装着されるリール本体は、リアドラグ機構の操作つまみの外形に合わせるために、後部が円筒状に形成されている。
【０００５】
このようなリール本体では、製造コストを抑えるために、従来のフロントドラグ機構が装着されるリール本体とリアドラグ機構が装着されるリール本体との金型を共通化して、１つのリール本体として構成したものが知られている。このように１つのリール本体として構成するために、リアドラグ機構が装着されるリール本体に合わせて、リール本体の後部は円筒状に形成されている。
【０００６】
【発明が解決しようとする課題】
前記従来のフロントドラグ機構及びリアドラグ機構のいずれかが設けられるスピニングリールでは、リール本体の後部は円筒状に形成されている。このため、フロントドラグ機構が装着される場合は、リール本体の後部が円筒状に大きく突出してしまい、意匠性の低下を招くおそれがある。
【０００７】
本発明の課題は、フロントドラグ機構及びリアドラグ機構のいずれかが設けられるスピニングリールのリール本体において、リール本体の意匠性を向上できるようにすることにある。
【０００８】
【課題を解決するための手段】
発明１に係るスピニングリールのリール本体は、釣竿に装着されフロントドラグ機構及びリアドラグ機構のいずれかが設けられかつ前方に釣り糸を繰り出し可能なスピニングリールのリール本体であって、釣竿に装着される竿取付脚部と、竿取付脚部と連設され後端部に第１開口部が形成されるとともに第１開口部の周囲に第１開口部に向かって外形が先細り形状の装着部が形成されたリールボディとを備えている。装着部にはリールボディの装着部に連なる部分と滑らかに連設して装着される第１カバー部材及び第２カバー部材が選択的に装着可能である。第１カバー部材は、フロントドラグ機構が設けられる際、第１開口部を閉塞するように装着される。第２カバー部材は、後端部に第１開口部と連通する第２開口部を有し、リアドラグ機構が設けられる際、第２開口部を閉塞するようにリアドラグ機構が装着される。
【０００９】
このリール本体では、フロントドラグ機構が設けられるときは外形が先細り形状に形成された装着部に第１カバー部材が装着され、リアドラグ機構が設けられるときは装着部に第２カバー部材及びリアドラグ機構が装着される。ここでは、装着部の外形が先細り形状に形成されているので、従来のように後部が円筒状に大きく突出することがなく、フロントドラグ機構を設けても、リール本体の意匠性を向上できる。
【００１０】
発明２に係るリール本体は、発明１のリール本体において、第１カバー部材は外形がリールボディに沿って先細り形状に形成されている。この場合、さらにリール本体の意匠性を向上できる。
発明３に係るリール本体は、発明１又は２のリール本体において、第２カバー部材及びリアドラグ機構は一体的に形成されている。この場合、第２カバー部材及びリアドラグ機構の装着が容易になる。
【００１１】
発明４に係るリール本体は、発明１から３のいずれかのリール本体において、第１カバー部材及び第２カバー部材はリールボディに弾性圧入係合されている。この場合、第１カバー部材及び第２カバー部材の装着が容易になる。
発明５に係るリール本体は、発明１から３のいずれかのリール本体において、第１カバー部材及び第２カバー部材はリールボディにねじ止め固定されている。この場合、第１カバー部材及び第２カバー部材の装着が確実になる。
【００１２】
【発明の実施の形態】
本発明の一実施形態を採用したスピニングリールは、図１に示すフロントドラグ型のものと、図２に示すリアドラグ型のものとでリール本体２を共通化したリールであって、それぞれ後述する第１カバー部材４０（図１参照）及び第２カバー部材５０（図２参照）が選択的に装着される。
【００１３】
フロントドラグ型のスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１４】
リール本体２は、リールボディ２ａと、リールボディ２ａから斜め上前方に延びる竿取付脚２ｂとを有している。リールボディ２ａは、内部に各種の機構が収納される図示しない空間を有している。
ロータ３は、図１に示すように、円筒部３０と、円筒部３０の側方に互いに対向して設けられた第１及び第２ロータアーム３１、３２とを有している。
【００１５】
スプール４は、ロータ３の第１ロータアーム３１と第２ロータアーム３２との間に配置されており、スプール軸１５の先端にフロントドラグ機構６０を介して装着されている。
フロントドラグ機構６０は、図１に示すように、スプール４とスプール軸１５との間に装着され、スプール４にドラグ力を作用させるための機構である。フロントドラグ機構６０は、ドラグ力を手で調整するためのつまみ部６１と、つまみ部６１によりスプール４側に押圧される複数枚のディスクからなる摩擦部６２とを有している。
【００１６】
リールボディ２ａは、図１及び図３〜図５に示すように、後端部に形成された第１開口部２ｃと、第１開口部２ｃの周囲に第１開口部２ｃに向かって外形が先細り形状に形成された装着部２ｄとを有している。装着部２ｄには、第１カバー部材４０がリールボディ２ａの装着部２ｄに連なる部分と滑らかに連設して装着されている。
【００１７】
装着部２ｄは、図３〜図５に示すように、リールボディ２ａより一段低くなるように段差部分が形成されており、この段差部分に第１カバー部材４０が装着される。第１カバー部材４０を装着したとき、第１カバー部材４０の外径はリールボディ２ａと滑らかに連設するように面一になっている。装着部２ｄの上部には、図３及び図４に示すように、第１カバー部材４０をねじ部材４１（図１参照）によってねじ止め固定するための孔部２ｅが形成されている。装着部２ｄの下部には、図３及び図５に示すように、第１カバー部材４０をねじ部材４２（図１参照）によってねじ止め固定するための孔部２ｆが形成されている。
【００１８】
第１カバー部材４０は、図１及び図３〜図５に示すように、第１開口部２ｃを閉塞するように装着され、後端部の先鋭部分は僅かに丸められた形状となっている。第１カバー部材４０は、外形がリールボディ２ａに沿って先細り形状に形成されており、第１カバー部材４０を装着部２ｄにしたとき、リールボディ２ａから第１カバー部材４０に向かって滑らかに連設している。また、第１カバー部材４０の上部と下部には、図３〜図５に示すようにねじ部材４１、４２が装着される貫通孔４０ａ、４０ｂが形成されている。
【００１９】
このフロントドラグ型のスピニングリールを組み立てるには、まずフロントドラグ機構６０等の各種の機構を組み込む。そして、装着部２ｄに第１カバー部材４０を装着し、ねじ部材４１、４２を貫通孔４０ａ、４０ｂを通して孔部２ｅ、２ｆに取り付けることにより、第１カバー部材４０をリールボディ２ａに固定している。ここでは、後端部の外形を先細り形状に維持したまま、第１開口部２ｃを閉塞できる。
【００２０】
一方、リアドラグ型のスピニングリールは、図２に示すように、ハンドル１０１を回転自在に支持するリール本体２と、ロータ１０３と、スプール１０４とを備えている。ロータ１０３は、リール本体２の前部に回転自在に支持されている。スプール１０４は、釣り糸を外周面に巻き取るものであり、ロータ１０３の前部に前後移動自在に配置されている。
【００２１】
リール本体２は、リールボディ２ａと、リールボディ２ａから斜め上前方に延びる竿取付脚２ｂとを有している。リールボディ２ａは、内部に各種の機構が収納される図示しない空間を有している。
ロータ１０３は、円筒部１３０と、円筒部１３０の側方に互いに対向して設けられた第１及び第２ロータアーム１３１、１３２とを有している。
【００２２】
スプール１０４は、ロータ１０３の第１ロータアーム１３１と第２ロータアーム１３２との間に配置されている。
リールボディ２ａは、図２及び図３〜図５に示すように、後端部に形成された第１開口部２ｃと、第１開口部２ｃの周囲に第１開口部２ｃに向かって外形が先細り形状に形成された装着部２ｄとを有している。装着部２ｄには、第２カバー部材５０がリールボディ２ａと滑らかに連設して装着されている。第２カバー部材５０の後端部には、リアドラグ機構７０が装着されている。
【００２３】
リアドラグ機構７０は、図２に示すように、スプール軸１１５の後端部に回転不能、かつ軸方向移動自在に連結されており、スプール軸１１５を介してスプール１０４の糸繰り出し方向の回転を制動するものである。リアドラグ機構７０は、ドラグ力を手で調整するための筒状のつまみ部７１を有している。
装着部２ｄは、図３〜図５に示すように、リールボディ２ａより一段低くなるように段差部分が形成されており、この段差部分に第２カバー部材５０が装着される。第２カバー部材５０を装着したとき、第２カバー部材５０の外径はリールボディ２ａと滑らかに連設するように面一になっている。装着部２ｄの上部には、図３及び図４に示すように、第２カバー部材５０をねじ部材５１（図２参照）によってねじ止め固定するための孔部２ｅが形成されている。装着部２ｄの下部には、図３及び図５に示すように、第２カバー部材５０をねじ部材５２（図２参照）によってねじ止め固定するための孔部２ｆが形成されている。
【００２４】
第２カバー部材５０は、図２及び図３〜図５に示すように、後端部に第１開口部２ｃと連通する第２開口部５０ａを有している。第２開口部５０ａは、図４に示すように、断面形状が円形になっており、リアドラグ機構７０のつまみ部７１の断面形状と略同一になっている。また、第２カバー部材５０の上部と下部には、図３〜図５に示すようにねじ部材５１、５２が装着される貫通孔５０ｂ、５０ｃが形成されている。
【００２５】
このリアドラグ型のスピニングリールを組み立てるには、スプール軸１１５を第１開口部２ｃから外部に突出させた状態で装着部２ｄに第２カバー部材５０を装着し、ねじ部材５１、５２を貫通孔５０ｂ、５０ｃを通して孔部２ｅ、２ｆに取り付けることにより、第２カバー部材５０をリールボディ２ａに固定している。そして、スプール軸１１５を第２カバー部材５０の第２開口部５０ａから外部に突出させた状態で、第２開口部５０ａを閉塞するようにリアドラグ機構７０を装着する。ここでは、後端部の外形が円筒状になっているので、リアドラグ機構７０のつまみ部７１の外形に合わせることができる。
【００２６】
このようなスピニングリールでは、フロントドラグ機構６０が設けられるときは、図１に示すように、外形が先細り形状に形成された装着部２ｄに第１カバー部材４０が装着さる。一方、リアドラグ機構７０が設けられるときは、図２に示すように、装着部２ｄに第２カバー部材５０及びリアドラグ機構７０が装着される。ここでは、装着部２ｄの外形が先細り形状に形成されているので、従来のように後部が円筒状に大きく突出することがなく、フロントドラグ機構６０を設けても、リール本体の意匠性を向上させることができる。
【００２７】
〔他の実施形態〕
（ａ）　前記実施形態では、第１カバー部材４０及び第２カバー部材５０は、ねじ部材４１、４２及びねじ部材５１、５２によってリールボディ２ａに固定されていたが、固定方法はこれに限定されず、たとえば第１カバー部材４０及び第２カバー部材５０をリールボディ２ａに弾性圧入係合してもよい。
【００２８】
（ｂ）　前記実施形態では、第２カバー部材５０とリアドラグ機構７０とは別体で構成されていたが、第２カバー部材５０とリアドラグ機構７０とを一体的に形成してもよい。
（ｃ）　前記実施形態では、、第１カバー部材４０は外形がリールボディ２ａに沿って先細り形状に形成されていたが、第１カバー部材４０の外形はこれに限定されない。また、装着部２ｄの形状も後端に向かって先細り形状に形成されていれば任意の形状に形成でき、これに合わせて第１カバー部材４０及び第２カバー部材５０も任意の形状に形成できる。
【００２９】
【発明の効果】
本発明によれば、フロントドラグ機構及びリアドラグ機構のいずれかが設けられるスピニングリールのリール本体において、フロントドラグ機構が設けられるときは外形が先細り形状に形成された装着部に第１カバー部材が装着され、リアドラグ機構が設けられるときは装着部に第２カバー部材及びリアドラグ機構が装着されるので、リール本体の意匠性を向上できる。
【図面の簡単な説明】
【図１】本発明の一実施形態によるフロントドラグ機構を装着したスピニングリールの側面図。
【図２】本発明の一実施形態によるリアドラグを装着したスピニングリールの側面図。
【図３】前記スピニングリールの後端部の拡大分解側面図。
【図４】前記スピニングリールの後端部の拡大分解背面図。
【図５】前記スピニングリールの後端部の拡大分解底面図。
【符号の説明】
２　リール本体
２ａ　リールボディ
２ｂ　竿取付脚
２ｃ　第１開口部
２ｄ　装着部
４０　第１カバー部材
４１、４２　ねじ部材
５０　第２カバー部材
５０ａ　第２開口部
５１、５２　ねじ部材
６０　フロントドラグ機構
７０　リアドラグ機構
【図１】
2004081151.tif 000003
【図２】
2004081151.tif 000004
【図３】
2004081151.tif 000005
【図４】
2004081151.tif 000006
【図５】
2004081151.tif 000007